(57)【特許請求の範囲】
【請求項１】
室内の温度と相対湿度を測定するステップと、
上記測定された室内の温度と相対湿度に基づいて、カビの発生の度合いを表すカビ指数を求めるステップと、
予め設定された複数の代表指数毎にその代表指数よりも大きい上記カビ指数の環境に室内がさらされた暴露時間を夫々求めるステップと、
上記複数の代表指数とその代表指数毎に求められた暴露時間に基づいてカビの発生状況を判定するステップと
を有することを特徴とする室内環境判定方法。
【請求項２】
室内の温度を検出する温度センサ(１)と、
室内の相対湿度を検出する湿度センサ(２)と、
上記温度センサ(１)により検出された温度と上記湿度センサ(２)により検出された相対湿度に基づいて、カビの発生の度合いを表すカビ指数を判定するカビ指数判定部(３)と、
予め設定された複数の代表指数毎にその代表指数よりも大きい上記カビ指数の環境に室内がさらされた暴露時間を夫々求める暴露時間積算部(４)と、
上記複数の代表指数とその代表指数毎に上記暴露時間積算部(４)により求められた上記暴露時間に基づいて、カビの発生状況を判定する室内環境判定部(５)と、
上記室内環境判定部(５)の判定結果を表示する表示部(６)とを備えたことを特徴とする室内環境判定装置。
【請求項３】
請求項２に記載の室内環境判定装置を用いたことを特徴とする空気調和機。
【発明の詳細な説明】
【０００１】
【発明の属する技術分野】
この発明は、室内のカビの発生状況を判定する室内環境判定方法および室内環境判定装置および空気調和機に関する。
【０００２】
【従来の技術および発明が解決しようとする課題】
従来、空気調和機としては、室内環境がカビの成長に必要な温度および相対湿度の領域に入ったときの瞬時の判定値から判断を行って、その判断結果を表示するものがある。ところが、この空気調和機では、室内がカビを成長させやすい環境にどれくらいの時間暴露されていたかを判断することはできず、カビの発生に関する情報を有効に利用できないという問題がある。
【０００３】
そこで、この発明の目的は、どのようなカビの発生状況に室内が置かれていたかを容易に判定でき、カビの発生に関わる情報を有効に利用できる室内環境判定方法および室内環境判定装置および空気調和機を提供することにある。
【０００４】
【課題を解決するための手段】
【０００５】
【０００６】
上記目的を達成するため、請求項１の室内環境判定方法は、室内の温度と相対湿度を測定するステップと、上記測定された室内の温度と相対湿度に基づいて、カビの発生の度合いを表すカビ指数を求めるステップと、予め設定された複数の代表指数毎にその代表指数よりも大きい上記カビ指数の環境に室内がさらされた暴露時間を夫々求めるステップと、上記複数の代表指数とその代表指数毎に求められた暴露時間に基づいてカビの発生状況を判定するステップとを有することを特徴としている。
【０００７】
カビ指数は、例えばセンサ菌を用いたカビセンサにより菌糸の長さに基づいて測定するもので、数値が大きいほどカビの発生の度合いが高く、数値が小さいほどカビの発生の度合いが低い。上記請求項１の室内環境判定方法では、予め定めた温度,相対湿度とカビ指数との関係を用いて、測定された温度と相対湿度に基づいて、カビの発生の度合いを表すカビ指数を求める。そして、上記カビ指数およびそのカビ指数の環境に室内がさらされた暴露時間に基づいて、カビの発生状況を判定する。そうすることによって、どのようなカビの発生状況に室内が置かれていたかを容易に判定でき、カビの発生に関わる情報を有効に利用して、迅速かつ適切なカビ対策(清掃,乾燥など)を行うことができる。
さらに、上記請求項１の室内環境判定方法によれば、カビ指数が取り得る範囲内で複数の代表指数を予め設定し、その代表指数毎に上記カビ指数がその代表指数よりも大きいときの環境に室内がさらされていた暴露時間を夫々求める。そして、上記複数の代表指数とその代表指数毎に求められた暴露時間に基づいて、カビの発生状況を判定する。例えば、代表指数を７,２０,４０,８０とした場合、カビ指数が７以上の室内環境であった時間、カビ指数が２０以上の室内環境であった時間、カビ指数が４０以上の室内環境であった時間、カビ指数が８０以上の室内環境であった時間を夫々求める。そうして、求められたカビ指数が代表指数の７以上の室内環境であった時間が設定された所定時間よりも長く、上記カビ指数が他の代表指数２０,４０,８０以上であった夫々の暴露時間が設定された時間よりも短いとき、カビが少ない室内環境であると判定する。一方、求められたカビ指数が代表指数の８０以上の室内環境であった時間が設定された所定時間よりも長いとき、カビに汚染された室内環境であると判定する。このように、カビ指数が取り得る範囲内の複数の代表指数について暴露時間を求めて、カビの発生状況を判定するので、処理を簡略化できる。
【０００８】
【０００９】
【００１０】
【００１１】
【００１２】
また、請求項２の室内環境判定装置は、室内の温度を検出する温度センサと、室内の相対湿度を検出する湿度センサと、上記温度センサにより検出された温度と上記湿度センサにより検出された相対湿度に基づいて、カビの発生の度合いを表すカビ指数を判定するカビ指数判定部と、予め設定された複数の代表指数毎にその代表指数よりも大きい上記カビ指数の環境に室内がさらされた暴露時間を夫々求める暴露時間積算部と、上記複数の代表指数とその代表指数毎に上記暴露時間積算部により求められた上記暴露時間に基づいて、カビの発生状況を判定する室内環境判定部と、上記室内環境判定部の判定結果を表示する表示部とを備えたことを特徴としている。
【００１３】
上記請求項２の室内環境判定装置によれば、上記温度センサにより検出された室内の温度と上記湿度センサにより検出された室内の相対湿度に基づいて、予め定めた温度,相対湿度とカビ指数との関係を用いて、上記カビ指数判定部によりカビの発生の度合いを表すカビ指数を求める。そして、上記カビ指数およびそのカビ指数の環境に室内がさらされた暴露時間に基づいて、室内環境判定部によりカビの発生状況を判定する。そうすることによって、どのようなカビの発生状況に室内が置かれていたかを容易に判定でき、カビの発生に関わる情報を有効に利用して、迅速かつ適切なカビ対策を行うことができる。
【００１４】
また、請求項３の空気調和機は、請求項２の室内環境判定装置を用いたことを特徴としている。
【００１５】
上記請求項３の空気調和機によれば、上記室内環境判定装置を用いて、どのようなカビの発生状況に室内が置かれていたかを示す判定結果に応じて、カビが発生しないように適切な空調運転を行ったりすることができる。
【００１６】
【発明の実施の形態】
以下、この発明の室内環境判定方法および室内環境判定装置および空気調和機を図示の実施の形態により詳細に説明する。
【００１７】
図１はこの発明の実施の一形態の室内環境判定方法を用いた室内環境判定装置のブロック図であり、１は室内の温度を検出する温度センサ、２は室内の相対湿度を検出する湿度センサ、３は上記温度センサ１により検出された温度と上記湿度センサ２により検出された相対湿度とに基づいて、カビの発生状況を表すカビ指数を判定するカビ指数判定部、４は上記カビ指数判定部３より得られたカビ指数に応じた暴露時間を積算する暴露時間積算部、５は上記暴露時間積算部４により積算された積算値に基づいて、カビの発生状況を判定する室内環境判定部、６は上記室内環境判定部５の判定結果に基づいて、カビの発生状況を表示する表示部である。
【００１８】
上記カビ指数判定部３は、任意の温度と相対湿度の組み合わせにおいてカビの生育環境レベルを示す指数(カビ指数)を予めテーブル(または数式)を記憶しており、測定された温度と相対湿度に基づいてテーブル(または数式)を用いてカビ指数を求める。
【００１９】
図２は上記室内環境判定装置の動作を示すフローチャートである。以下、図２に従って室内環境判定装置のカビ指数を用いた判定処理について説明する。なお、ステップＳ１〜Ｓ５の処理は、繰り返し連続して行うものとする。
【００２０】
まず、ステップＳ１で温度センサ１,湿度センサ２により室内の温度と相対湿度を測定する。
【００２１】
次に、ステップＳ２に進み、測定された室内の温度と相対湿度に基づいて、カビ指数判定部３によりカビ指数を判定する。
【００２２】
次に、ステップＳ３に進み、ステップＳ２で得られたカビ指数に基づいて、暴露時間積算部４により暴露時間積算値を算出する。すなわち、図３に示すように、代表指数を７,２０,４０,８０とした場合、各代表指数についてカビ指数がその代表指数よりも大きいとき、その代表指数の暴露時間積算値を更新する。例えば、カビ指数が１５である場合は、代表指数７の暴露時間積算値に所定時間を加算し、カビ指数が４５である場合は、代表指数７,２０,４０の各暴露時間積算値に所定時間を加算する。
【００２３】
次に、ステップＳ４に進み、室内環境判定部５により暴露時間積算値に基づいてカビの発生状況を判定する。すなわち、上記代表指数の各暴露時間積算値がそれぞれに設定された所定値以上という条件を満たした代表指数について指数の大きいものを優先させ、その優先された代表指数が表すカビの発生状況を判定するのである。
【００２４】
そして、ステップＳ５に進み、上記カビの発生状況の判定結果を表示部６に表示し、ステップＳ１に戻る。例えば、カビ指数７が上記条件を満足するときは、「カビが発芽し始める」を表示し、カビ指数２０が上記条件を満足するときは、「カビに汚染されやすい」を表示し、カビ指数４０が上記条件を満足するときは、「カビの胞子が広がる」を表示し、カビ指数８０が上記条件を満足するときは、「カビに汚染される」を表示する。
【００２５】
このように、上記室内環境判定装置は、どのようなカビの発生状況に室内が置かれていたかを容易に判定でき、カビの発生に関わる情報を有効に利用して、迅速かつ適切なカビ対策(室内の清掃や室内を乾燥させる換気など)を行うことができる。
【００２６】
また、カビ指数が取り得る範囲内の複数の代表指数について暴露時間を求めて、カビの発生状況を判定するので、処理を簡略化することができる。
【００２７】
なお、上記実施の形態では、カビ指数７,２０,４０,８０について判定を行って表示部６に判定結果を表示したが、次の表１に示すように、判定を行うカビ指数をさらに細分化してもよい。
【００２８】
【表１】
0003823715.tif 000002
【００２９】
図４,図５はこの発明の他の室内環境判定方法を示すフローチャートであり、図４は平均カビ指数を用いた室内環境判定方法の処理を示し、図５は平均温度,平均相対湿度を用いた室内環境判定方法の処理を示している。
【００３０】
以下、図４に従って平均カビ指数を用いた室内環境判定方法の処理について説明する。なお、ステップＳ１１〜Ｓ１５の処理は、所定時刻毎に繰り返し行うものとする。
【００３１】
まず、ステップＳ１１で温度センサ,湿度センサにより室内の温度と相対湿度を測定する。
次に、ステップＳ１２に進み、測定された室内の温度と相対湿度に基づいてカビ指数を求める。
次に、ステップＳ１３に進み、所定期間前から現在までに求められたカビ指数に基づいて平均カビ指数を算出する。例えば、上記所定期間として１週間,１ヶ月などを任意に設定可能とする。
次に、ステップＳ１４に進み、平均カビ指数に基づいてカビの発生状況を判定する。
そして、ステップＳ１５に進み、カビの発生状況の判定結果を表示し、ステップＳ１１に戻る。
【００３２】
このように、図４に示す室内環境判定方法では、どのようなカビの発生状況に室内が置かれていたかを容易に判定でき、カビの発生に関わる情報を有効に利用できると共に、所定時刻毎に測定された温度と相対湿度の各平均値により得られたカビ指数の平均値に基づいて、カビの発生状況を判定するので、特定の時間帯(例えば温度,相対湿度が上昇する調理時間帯)に注目して室内環境を把握することができる。
【００３３】
なお、図４のフローチャートに示す室内環境判定方法では、所定時刻毎に測定された室内の温度,相対湿度に基づいて、所定時刻毎のカビ指数を求めたが、１日の室内の平均温度,平均相対湿度に基づいて１日毎のカビ指数を求めて、その１日毎のカビ指数の平均カビ指数を算出して用いてもよい。
【００３４】
次に、図５に従って平均温度,平均相対湿度を用いた室内環境判定方法の処理について説明する。なお、ステップＳ２１〜Ｓ２５の処理は、繰り返し連続して行うものとする。
【００３５】
まず、ステップＳ２１で温度センサ,湿度センサにより室内の温度と相対湿度を測定する。
次に、ステップＳ２２に進み、測定された温度,相対湿度から平均温度,平均相対湿度を算出する。
次に、ステップＳ２３に進み、平均温度,平均相対湿度に基づいてカビ指数を求める。
次に、ステップＳ２４に進み、ステップＳ２３で求めたカビ指数および測定開始点から現在までの時間に基づいて、カビの発生状況を判定する。
そして、ステップＳ２５に進み、カビの発生状況の判定結果を表示し、ステップＳ２１に戻る。
【００３６】
このように、図５に示す室内環境判定方法では、どのようなカビの発生状況に室内が置かれていたかを容易に判定でき、カビの発生に関わる情報を有効に利用できると共に、カビ指数および測定開始点から現在までの時間に基づいてカビの発生状況を判定するので、測定開始点から現在に至るまでの室内環境全体を把握することができる。
【００３７】
また、上記室内環境判定方法を用いた室内環境判定装置を空気調和機に適用することによって、どのようなカビの発生状況に室内が置かれていたかを示す判定結果に応じて、カビが発生しないように適切な空調運転を行うことができる。また、カビの発生を防止するだけでなく、同様の温度,相対湿度の制御によりダニや害虫の発生を防止するのにこの発明を応用することもできる。
【００３８】
また、この発明の室内環境判定方法および室内環境判定装置は、空気調和機のみに適用が限定されるものではなく、他の冷房,暖房装置や乾燥機等の装置に適用してもよいのは勿論である。また、一般の住宅の室内だけでなく、クロゼット、押し入れ、納戸、倉庫、トランクルーム、かばんの中、靴の中、畳の下、床下等の様々な場所の環境判定にこの発明を適用することができる。
【００３９】
また、上記実施の形態の室内環境判定装置において、カビの発生状況の判定結果を記憶するメモリ機能を備えることによって、過去の室内環境の状況を知ることができ、例えば、中古住宅を購入するときに、その住宅の過去の住まわれ方をデータとして見て判断することができる。
【００４０】
さらに、上記室内環境判定装置において、将来のカビの発生状況を予測する予測機能を備えることによって、例えば現在のカビの発生状況が継続したと仮定して、３日後,１週間後または１ヶ月後のカビの発生状況を予測することができる。
【００４１】
【発明の効果】
以上より明らかなように、請求項１の発明の室内環境判定方法は、室内の温度と相対湿度を測定し、その測定された温度と相対湿度に基づいて、カビの発生の度合いを表すカビ指数を求めて、上記カビ指数およびそのカビ指数の環境に室内がさらされた暴露時間に基づいて、カビの発生状況を判定することによって、どのようなカビの発生状況に室内が置かれていたかを容易に判定でき、カビの発生に関わる情報を有効に利用して、迅速かつ適切なカビ対策を行うことができる。
【００４２】
また、カビ指数が取り得る範囲内で複数の代表指数を予め設定し、その代表指数毎にその代表指数よりも大きい上記カビ指数の環境に室内がさらされていた暴露時間を夫々求めて、複数の代表指数とその代表指数毎に求められた暴露時間に基づいてカビの発生状況を判定するので、処理を簡略化できる。
【００４３】
【００４４】
【００４５】
また、請求項２の発明の室内環境判定装置は、温度センサにより検出された室内の温度と湿度センサにより検出された室内の相対湿度に基づいて、カビ指数判定部によりカビの発生の度合いを表すカビ指数を求めて、予め設定された複数の代表指数毎にその代表指数よりも大きい上記カビ指数の環境に室内がさらされた暴露時間を暴露時間積算部により夫々求め、複数の代表指数とその代表指数毎に暴露時間積算部により求められた暴露時間に基づいて、室内環境判定部によりカビの発生状況を判定するので、どのようなカビの発生状況に室内が置かれていたかを容易に判定でき、カビの発生に関わる情報を有効に利用して、迅速かつ適切なカビ対策を行うことができる。
【００４６】
また、請求項３の発明の空気調和機は、請求項２の室内環境判定装置を用いることによって、どのようなカビの発生状況に室内が置かれていたかを示す判定結果に応じて、迅速かつ適切なカビ対策(清掃,乾燥など)やカビが発生しないように適切な空調運転を行うことができる。
【図面の簡単な説明】
【図１】  図１はこの発明の実施の一形態の室内環境判定方法を用いた室内環境判定装置のブロック図である。
【図２】  図２は上記室内環境判定装置の判定処理を説明するフローチャートである。
【図３】  図３は上記室内環境判定装置の暴露時間積算値の積算方法を説明する図である。
【図４】  図４はこの発明の他の室内環境判定方法の平均カビ指数を用いた処理を説明するフローチャートである。
【図５】  図５はこの発明の他の室内環境判定方法の平均温度,平均相対湿度を用いた処理を説明するフローチャートである。
【符号の説明】
１…温度センサ、
２…湿度センサ、
３…カビ指数判定部、
４…暴露時間積算部、
５…室内環境判定部、
６…表示部。
【図１】
0003823715.tif 000003
【図２】
0003823715.tif 000004
【図３】
0003823715.tif 000005
【図４】
0003823715.tif 000006
【図５】
0003823715.tif 000007